(57)【要約】【課題】家庭等に保管されている硬貨を効率よく回収することができる硬貨処理装置を提供する。【解決手段】複数の硬貨を同時に投入可能に形成された硬貨投入口と、硬貨投入口から投入された硬貨を金種毎に計数する計数手段と、金種毎の計数結果に基づいて、金種毎の計数手数料を設定する手数料設定手段と、投入された硬貨の真偽を識別する識別手段と、真の硬貨と識別された硬貨の金種毎の計数値に基づく合計金額から金種毎の計数手数料の金額の合計値を差し引いた金額に相当する有価価値を特定可能な有価価値特定情報を記憶した複数種の記憶媒体を発行する記憶媒体発行手段とを備える。【選択図】図１
2007241831.tif 000002
【特許請求の範囲】
【請求項１】
複数の硬貨を同時に投入可能に形成された硬貨投入口と、  
前記硬貨投入口から投入された硬貨を金種毎に計数する計数手段と、
前記金種毎の計数結果に基づいて、金種毎に手数料を設定する手数料設定手段と
を備えたことを特徴とする硬貨処理装置。
【請求項２】
複数の硬貨を同時に投入可能に形成された硬貨投入口と、  
前記硬貨投入口から投入された硬貨を金種毎に計数する計数手段と、
前記計数結果に基づいて、少なくとも１種を除いた金種の手数料を設定する手数料設定手段と
を備えたことを特徴とする硬貨処理装置。
【請求項３】
前記手数料設定手段は、１円硬貨のみ前記手数料が設定可能であることを特徴する請求項２に記載の硬貨処理装置。
【請求項４】
前記金種毎の計数結果に基づく合計金額から金種毎の手数料の金額の合計値を差し引いた金額に相当する有価価値を特定可能な有価価値特定情報を記憶した複数種の記憶媒体を発行する記憶媒体発行手段と
をさらに備えたことを特徴とする請求項１から３のいずれかに記載の硬貨処理装置。
【請求項５】
前記金種毎の計数結果に基づく合計金額に相当する有価価値を特定可能な有価価値特定情報を記憶した記憶媒体を発行する記憶媒体発行手段と、
前記手数料を出力可能なことを特徴とする請求項１から４のいずれか記載の硬貨処理装置。
【請求項６】
前記有価価値特定情報を所定の情報機器へ送信する送信手段をさらに備えたことを特徴とする請求項４または５のいずれかに記載の硬貨処理装置。
【請求項７】
パチンコホールに設置され、前記記憶媒体発行手段で発行される記憶媒体に記憶された有価価値特定情報によって特定される有価価値の範囲内で遊技媒体の払出しが可能なことを特徴とする請求項１から６のいずれかに記載の硬貨処理装置。
【請求項８】
前記手数料設定手段は、１の金種当りの手数料について複数種の手数料を設定可能であることを特徴とする請求項１から７のいずれかに記載の硬貨処理装置。
【請求項９】
前記複数の手数料の種別毎に集計可能であることを特徴とする請求項８記載の硬貨処理装置。
【請求項１０】
複数の硬貨を同時に投入可能に形成された硬貨投入口と、
前記硬貨投入口から投入された硬貨を金種毎に計数する計数手段と、
１の入金機会、所定期間及び所定入金機会の少なくとも１における金種毎の計数値が所定の制限値を超える場合、または、１の入金機会、所定期間及び所定入金機会の少なくとも１における金種毎の投入比率が一部の金種に偏っている場合の少なくとも一方である場合に、異常と判定する異常判定手段と、
前記異常が発生した場合に、投入硬貨の一部または全部の返金、硬貨計数の停止、報知、入金者の画像撮像の少なくとも１つを行う異常処理手段と
を備えたことを特徴とする硬貨処理装置。
【請求項１１】
前記異常判定手段により異常と判定された場合に、少なくとも時刻情報を含む関連情報を履歴情報として出力する履歴出力手段をさらに備えたことを特徴とする請求項１０に記載の硬貨処理装置。
【請求項１２】
前記異常判定手段により異常と判定された場合に、関連情報を所定期間の集計情報として出力する集計情報出力手段をさらに備えたことを特徴とする請求項１０または１１に記載の硬貨処理装置。
【請求項１３】
複数の硬貨を同時に投入可能に形成された硬貨投入口を備えた硬貨処理装置における硬貨処理方法であって、
前記硬貨投入口から投入された硬貨を金種毎に計数する計数ステップと、
前記金種毎の計数結果に基づいて、金種毎に手数料を設定する手数料設定ステップと
を有することを特徴とする硬貨処理方法。
【請求項１４】
複数の硬貨を同時に投入可能に形成された硬貨投入口を備えた硬貨処理装置における硬貨処理方法であって、
前記硬貨投入口から投入された硬貨を金種毎に計数する計数ステップと、
１の入金機会、所定期間及び所定入金機会の少なくとも１における金種毎の計数値が所定の制限値を超える場合、または、１の入金機会、所定期間及び所定入金機会の少なくとも１における金種毎の投入比率が一部の金種に偏っている場合の少なくとも一方である場合に、異常と判定する異常判定ステップと、
前記異常が発生した場合に、投入硬貨の一部または全部の返金、硬貨計数の停止、報知、入金者の画像撮像の少なくとも１つを行う異常処理ステップと
を有することを特徴とする硬貨処理方法。
【請求項１５】
複数の硬貨を同時に投入可能に形成された硬貨投入口を備えた硬貨処理装置上で動作する硬貨処理プログラムであって、
前記硬貨投入口から投入された硬貨を金種毎に計数する計数ステップと、
前記金種毎の計数結果に基づいて、金種毎に手数料を設定する手数料設定ステップと
をコンピュータに行わせることを特徴とする硬貨処理プログラム。
【請求項１６】
複数の硬貨を同時に投入可能に形成された硬貨投入口を備えた硬貨処理装置上で動作する硬貨処理プログラムであって、
前記硬貨投入口から投入された硬貨を金種毎に計数する計数ステップと、
１の入金機会、所定期間及び所定入金機会の少なくとも１における金種毎の計数値が所定の制限値を超える場合、または、１の入金機会、所定期間及び所定入金機会の少なくとも１における金種毎の投入比率が一部の金種に偏っている場合の少なくとも一方である場合に、異常と判定する異常判定ステップと、
前記異常が発生した場合に、投入硬貨の一部または全部の返金、硬貨計数の停止、報知、入金者の画像撮像の少なくとも１つを行う異常処理ステップと
をコンピュータに行わせることを特徴とする硬貨処理プログラム。
【発明の詳細な説明】
【技術分野】
【０００１】
本発明は、投入された硬貨を計数処理する硬貨処理装置、硬貨処理方法及び硬貨処理プログラムに関する。
【背景技術】
【０００２】
近年、消費税の導入に伴い硬貨を釣りとして受け取る機会が増えてきている。消費者は、硬貨を持ち歩くのは面倒であるため、釣りとして受け取った硬貨を自宅に大量に保管していることが多く、硬貨の流通量が非常に減ってきている。硬貨の流通量が減ってしまうと、小売店等における支払い処理時の釣り銭用の硬貨が不足してしまうという問題がある。また、硬貨鋳造コストがかかり経済的負担が大きい。
なお、先行技術として、小額硬貨を高額硬貨又は紙幣に両替可能な硬貨両替機が知られている（例えば、特許文献１参照）。
【特許文献１】特開平１１−７３５３１号公報
【発明の開示】
【発明が解決しようとする課題】
【０００３】
ところで、一般家庭等に保管されている硬貨を回収するためには、特許文献１に記載されている硬貨両替機を金融機関等に設置して、硬貨を紙幣に両替することが考えられる。  しかしながら、硬貨を保管している者は、買い物やパチンコなど何かのついでではなく、大量の硬貨を持参して、両替が目的でわざわざ金融機関へ出向くのは面倒であり、また、このように各金種によらず計数した枚数により一律の両替手数料が課されているので、家庭内で保管される硬貨に多くは１円玉で占められるので割高感があることもあり、両替が行われずにそのまま保管されてしまい硬貨の回収が進まないという問題がある。
【０００４】
本発明は、このような事情に鑑みてなされたもので、家庭等に保管されている硬貨を効率よく回収することができる硬貨処理装置、硬貨処理方法及び硬貨処理プログラムを提供することを目的とする。
【課題を解決するための手段】
【０００５】
本発明は、複数の硬貨を同時に投入可能に形成された硬貨投入口と、前記硬貨投入口から投入された硬貨を金種毎に計数する計数手段と、前記金種毎の計数結果に基づいて、金種毎に手数料を設定する手数料設定手段とを備えたことを特徴とする。
【０００６】
また、本発明は、複数の硬貨を同時に投入可能に形成された硬貨投入口を備えた硬貨処理装置における硬貨処理方法であって、前記硬貨投入口から投入された硬貨を金種毎に計数する計数ステップと、前記金種毎の計数結果に基づいて、金種毎に手数料を設定する手数料設定ステップとを有することを特徴とする。
【０００７】
本発明は、複数の硬貨を同時に投入可能に形成された硬貨投入口を備えた硬貨処理装置上で動作する硬貨処理プログラムであって、前記硬貨投入口から投入された硬貨を金種毎に計数する計数ステップと、前記金種毎の計数結果に基づいて、金種毎に手数料を設定する手数料設定ステップとをコンピュータに行わせることを特徴とする。
【０００８】
上記の発明によれば、金種毎の計数結果に基づいて、金種毎の手数料を設定できるので、金種毎に最適な手数料に設定することができ、家庭内で保管される硬貨に多くは１円玉で占められていても割高感が発生しないため、当該硬貨を効率よく回収できる。
【０００９】
なお、硬貨処理装置は１のコンピュータで構成するとは限らず、ネットワーク接続された複数のコンピュータで構成するようにしてもよい。例えば、計数手段と、手数料設定手段とを別個のコンピュータにて行ってもよく、手数料設定手段を複数のコンピュータで分散実行させてもよい。また、投入硬貨の真偽を識別する識別手段で真と判別された硬貨のみを受け入れ、偽と判別した硬貨を排除して、金種毎に計数する計数手段を行うようにしてもよい。
【００１０】
本発明は、複数の硬貨を同時に投入可能に形成された硬貨投入口と、前記硬貨投入口から投入された硬貨を金種毎に計数する計数手段と、前記計数結果に基づいて、少なくとも１種を除いた金種の手数料を設定する手数料設定手段とを備えたことを特徴とする。
【００１１】
上記の発明によれば、計数結果に基づいて、少なくとも１種を除いた金種の計数手数料を設定するので、金種毎に最適な手数料に設定することができ、家庭内で保管される硬貨に多くは１円玉で占められていても割高感が発生しないため、当該硬貨を効率よく回収できる。
【００１２】
なお、硬貨処理装置は１のコンピュータで構成するとは限らず、ネットワーク接続された複数のコンピュータで構成するようにしてもよい。例えば、計数手段と、手数料設定手段とを別個のコンピュータにて行ってもよく、手数料設定手段を複数のコンピュータで分散実行させてもよい。また、投入硬貨の真偽を識別する識別手段で真と判別された硬貨のみを受け入れ、偽と判別した硬貨を排除して、金種毎に計数する計数手段を行うようにしてもよい。識別手段は、例えば電波を発信し、硬貨か否かを判定する被検体からの応答電波によりその材質を判定するようなものを例示できる。
【００１３】
本発明は、前記手数料設定手段は、１円硬貨のみ前記手数料が設定可能であることを特徴する。
【００１４】
上記の発明によれば、１円硬貨のみ手数料が設定可能であるので、小さくて取り扱い難い１円についてその取り扱い工数に応じた手数料設定ができる。
【００１５】
前記金種毎の計数結果に基づく合計金額から金種毎の手数料の金額の合計値を差し引いた金額に相当する有価価値を特定可能な有価価値特定情報を記憶した複数種の記憶媒体を発行する記憶媒体発行手段とをさらに備えたことを特徴とする。
【００１６】
上記の発明によれば、金種毎の計数結果に基づく合計金額から金種毎の手数料の金額の合計値を差し引いた金額に相当する有価価値を特定可能な有価価値特定情報を記憶した記憶媒体を発行する記憶媒体発行手段を備えるので、買い物やパチンコなど何かのついでに、家庭内で保管される硬貨を有価価値として買い物やパチンコなどに利用可能な記憶媒体として発行できるため、当該硬貨を効率よく回収できる。
【００１７】
なお、上記発明は、投入された硬貨の真偽を識別する識別手段と、真の硬貨と識別された硬貨の金種毎の計数値に基づく合計金額から金種毎の手数料の金額の合計値を差し引いた金額に相当する有価価値を特定可能な有価価値特定情報を記憶した複数種の記憶媒体を発行する記憶媒体発行手段とをさらに備えた硬貨処理装置としてもよい。また、有価価値特定情報としては、度数などの有価価値そのもの、記憶媒体などのＩＤ情報などが例示でき、ＩＤ情報を用いる場合、度数などの有価価値を当該硬貨処理装置や他の情報機器に記憶させ、ＩＤ情報に基づいて度数などの有価価値を読み出して特定することができる。また、投入硬貨以外にも紙幣や電子マネーを記憶した他の記憶媒体を受け入れて有価価値としてもよい。
【００１８】
本発明は、前記金種毎の計数結果に基づく合計金額に相当する有価価値を特定可能な有価価値特定情報を記憶した記憶媒体を発行する記憶媒体発行手段と、前記手数料を出力可能なことを特徴とする。
【００１９】
上記の発明によれば、金種毎の計数結果に基づく合計金額に相当する有価価値を特定可能な有価価値特定情報を記憶した記憶媒体を発行するとともに、手数料を出力可能なので、上記の発明によれば、前記金種毎の計数結果に基づく合計金額に相当する有価価値を特定可能な有価価値特定情報を記憶した記憶媒体を発行するので、買い物やパチンコなど何かのついでに、家庭内で保管される硬貨を有価価値として買い物やパチンコなどに利用可能な記憶媒体として発行できるため、当該硬貨を効率よく回収できる。また、例えば、手数料を、硬貨を投入して有価価値特定情報を記憶した記憶媒体を発行された客の負担としないで、手数料を出力して明らかにすることで他の者（例えば当該硬貨処理装置を設置して有価価値特定情報を記憶した記憶媒体の有価価値を消費することのできるお店）の負担とすることもできる。
【００２０】
なお、出力とは、印字、モニタへ表示するための出力、あるいは外部機器への出力などを例示できる。
【００２１】
本発明は、前記有価価値特定情報を所定の情報機器へ送信する送信手段をさらに備えたことを特徴とする。
【００２２】
上記の発明によれば、有価価値特定情報を所定の情報機器に送信できるので、例えば、所定の情報機器においても、有価価値を記憶するように構成すれば、記憶媒体の有価価値を偽造された場合においても、所定の情報機器に記憶した有価価値との照合を行うことで、偽造か否かを判定することができる。
【００２３】
本発明は、パチンコホールに設置され、前記記憶媒体発行手段で発行される記憶媒体に記憶された有価価値特定情報によって特定される有価価値の範囲内で遊技媒体の払出しが可能なことを特徴とする。
【００２４】
上記の発明よれば、パチンコホールに設置され、前記記憶媒体発行手段で発行される記憶媒体に記憶された有価価値特定情報によって特定される有価価値の範囲内で遊技媒体の払出しが可能なので、家庭内で保管される硬貨を有価価値としてパチンコやスロットマシンなどに利用可能である。
【００２５】
本発明は、前記手数料設定手段は、１の金種当りの手数料について複数種の手数料を設定可能であることを特徴とする。また本発明は、前記複数の手数料の種別毎に集計可能であることを特徴とする。
【００２６】
上記の発明によれば、１の金種当りの手数料について複数種の手数料を設定可能なので、例えば、複数の手数料の種別毎に集計して、それぞれの手数料の支払い元と、受け取り先などを任意に設定でき、自由度の高いビジネスモデル設計が可能となる。
【００２７】
なお、複数種の手数料としては、例えば、両替手数料、記憶媒体発行手数料、通信料などを例示できる。またなお、前記複数種の手数料の支払元を指定可能とし、支払元が硬貨の入金を行った客である場合には、発行する記憶媒体の有価価値から前記手数料を差し引き、支払元がパチンコホールなどの本硬貨処理装置を設置するお店の場合には、発行する記憶媒体の有価価値から前記手数料を差し引かないで入金された硬貨分の有価価値の記憶媒体を発行する、ようにしてもよい。またなお、前記複数種の手数料の支払先を指定可能としてもよい。
【００２８】
本発明は、複数の硬貨を同時に投入可能に形成された硬貨投入口と、前記硬貨投入口から投入された硬貨を金種毎に計数する計数手段と、１の入金機会、所定期間及び所定入金機会の少なくとも１における金種毎の計数値が所定の制限値を超える場合、または、１の入金機会、所定期間及び所定入金機会の少なくとも１における金種毎の投入比率が一部の金種に偏っている場合の少なくとも一方である場合に、異常と判定する異常判定手段と、前記異常が発生した場合に、投入硬貨の一部または全部の返金、硬貨計数の停止、報知、入金者の画像撮像の少なくとも１つを行う異常処理手段とを備えたことを特徴とする。
【００２９】
また、本発明は、複数の硬貨を同時に投入可能に形成された硬貨投入口を備えた硬貨処理装置における硬貨処理方法であって、前記硬貨投入口から投入された硬貨を金種毎に計数する計数ステップと、１の入金機会、所定期間及び所定入金機会の少なくとも１における金種毎の計数値が所定の制限値を超える場合、または、１の入金機会、所定期間及び所定入金機会の少なくとも１における金種毎の投入比率が一部の金種に偏っている場合の少なくとも一方である場合に、異常と判定する異常判定ステップと、前記異常が発生した場合に、投入硬貨の一部または全部の返金、硬貨計数の停止、報知、入金者の画像撮像の少なくとも１つを行う異常処理ステップとを有することを特徴とする。
【００３０】
本発明は、複数の硬貨を同時に投入可能に形成された硬貨投入口を備えた硬貨処理装置上で動作する硬貨処理プログラムであって、前記硬貨投入口から投入された硬貨を金種毎に計数する計数ステップと、１の入金機会、所定期間及び所定入金機会の少なくとも１における金種毎の計数値が所定の制限値を超える場合、または、１の入金機会、所定期間及び所定入金機会の少なくとも１における金種毎の投入比率が一部の金種に偏っている場合の少なくとも一方である場合に、異常と判定する異常判定ステップと、前記異常が発生した場合に、投入硬貨の一部または全部の返金、硬貨計数の停止、報知、入金者の画像撮像の少なくとも１つを行う異常処理ステップとをコンピュータに行わせることを特徴とする。
【００３１】
本発明は、前記異常判定手段により異常と判定された場合に、少なくとも時刻情報を含む関連情報を履歴情報として出力する履歴出力手段をさらに備えたことを特徴とする。
【００３２】
本発明は、前記異常判定手段により異常と判定された場合に、関連情報を所定期間の集計情報として出力する集計情報出力手段をさらに備えたことを特徴とする。
【００３３】
上記の発明によれば、複数の硬貨を同時に投入可能に形成された硬貨投入口と、前記硬貨投入口から投入された硬貨を金種毎に計数する計数手段と、１の入金機会、所定期間及び所定入金機会の少なくとも１における金種毎の計数値が所定の制限値を超える場合、または、１の入金機会、所定期間及び所定入金機会の少なくとも１における金種毎の投入比率が一部の金種に偏っている場合の少なくとも一方である場合に、異常と判定する異常判定手段と、前記異常が発生した場合に、投入硬貨の一部または全部の返金、硬貨計数の停止、報知、入金者の画像撮像の少なくとも１つを行う異常処理手段とを備えるので、偽造コストの関係から所定金種のみに偏りがちな所定金種の偽造硬貨を大量に持ち込んだ場合に異常と判定できる。そして、異常判定手段により異常と判定された場合に、少なくとも時刻情報を含む関連情報を履歴情報として出力する履歴出力手段をさらに備えることで、例えば、偽造硬貨を大量に所定金種のみ持ち込んだ場合の履歴情報を発生時刻とともに明示できる。また、異常判定手段により異常と判定された場合に、関連情報を所定期間の集計情報として出力する集計情報出力手段をさらに備えることで、例えば、偽造硬貨を大量に所定金種のみ持ち込んだ場合の関連情報を所定期間にかけて集計できるので被害額などを特定できる。
【発明の効果】
【００３４】
本発明によれば、家庭等に保管されている硬貨を効率よく回収することができるという効果が得られる。また、パチンコホールに設置するようにしたため、遊技目的の資金に保管されている硬貨を用いることができるため、硬貨の回収と集客効果を同時に見込めるという効果が得られる。また、偽造コストの関係から所定金種のみに偏りがちな所定金種の偽造硬貨を大量に持ち込んだ場合に異常と判定できるという効果が得られる。
【発明を実施するための最良の形態】
【００３５】
以下、本発明の一実施形態による硬貨処理装置を図面を参照して説明する。図１は同実施形態の構成を示すブロック図である。この図において、符号１は、投入された複数の硬貨を計数し、両替や記憶媒体発行を行う際の手数料を設定する硬貨処理装置である。符号１Ａ、１Ｂは、硬貨処理装置１と同様の構成を備えた硬貨処理装置である。３台の硬貨処理装置には、装置を識別するための装置識別番号が予め付与されている。ここでは、硬貨処理装置１、１Ａ、１Ｂの装置識別番号をそれぞれ「Ｋ００１」、「Ｋ００２」、「Ｋ００３」とする。この装置識別番号は、硬貨処理装置１が設置される場所を特定する情報も含まれる。符号２は、有価価値特定情報が書き込まれた記憶媒体を発行する記憶媒体発行機である。符号３は、硬貨処理装置１、１Ａ、１Ｂ及び記憶媒体発行機２を管理する管理サーバである。符号４は、３台の硬貨処理装置１、１Ａ、１Ｂ、記憶媒体発行機２及び管理サーバが接続されるネットワークであり、各装置は、ネットワーク４を介して情報通信が可能である。なお、図１においては、３台の硬貨処理装置１、１Ａ、１Ｂと１台の記憶媒体発行機２のみを図示したが、ネットワーク４には、４台以上の硬貨処理装置と２台以上の記憶媒体発行機が接続されていてもよい。また、図１に示す硬貨処理装置１、１Ａ、１Ｂ、記憶媒体発行機２及び管理サーバ３の各装置は、パチンコホールに設置されるものであり、記憶媒体発行機２で発行される記憶媒体は、硬貨処理装置１、１Ａ、１Ｂで入金された合計額に基づく有価価値として、例えば度数が記憶媒体に記憶され、管理サーバ３などの情報機器に記憶媒体のＩＤに基づき記憶され、有価価値は、遊技媒体の貸し出しに消費することができる。ただし、管理サーバ３は、通常本システムの運営主体（例えばＡ社）によって運営されるが、必ずしもパチンコホールに設置されている必要はなく、ネットワーク４を介して遠隔地に設置されていてもよい。また、記憶媒体発行機２は、硬貨処理装置１、１Ａ、１Ｂそれぞれと同一筐体に設けるようにしてもよい。また、硬貨処理装置１、１Ａ、１Ｂには、紙幣挿入識別装置や、他の電子マネーなどの有価価値を記憶した第２の記憶媒体のリーダライタ、クレジットカードや銀行キャッシュカードの読取装置などを同一筐体に設け、紙幣や電子マネー、クレジットカードやキャッシュカードによる第２の有価価値分を、記憶媒体発行機２において発行する第１の有価価値として加算可能に構成してもよい。
【００３６】
符号１１は、硬貨処理装置１の処理動作を統括して制御する制御部である。符号１２は、操作ボタン等から構成する操作部である。符号１３は、液晶のディスプレイ等から構成する表示部である。符号１４は、複数の硬貨を同時に投入することができる硬貨投入口に投入硬貨が存在するか否か検出する硬貨検出部である。符号１５は、硬貨投入口から投入された硬貨の真偽判別を行い、真の硬貨と判別された硬貨を金種毎に計数する計数部である。符号１６は、計数部１５における計数中に異常が検出された場合に、投入硬貨を排出する排出部である。符号１７は、計数部１５において計数された硬貨を金種毎に収納する硬貨収納部である。符号１８は、計数部１５における硬貨の計数処理において異常であるか否かを判定するための判定条件の情報が記憶された判定データベースであり、ハードディスクからなる。符号１９は、硬貨処理装置１を使用するユーザの画像を撮像するビデオカメラである。
【００３７】
符号２０は、１回の硬貨投入機会における金種毎の計数結果を記憶する計数結果記憶部である。符号２１は、硬貨を計数することに対する手数料、両替を行うことに対する手数料、記憶媒体を発行することに対する手数料、通信することに対する手数料の設定を投入硬貨の金額に基づいて設定する手数料設定部である。符号２２は、金種毎の手数料に対する、硬貨を計数することに対する計数手数料、両替を行うことに対する両替手数料、記憶媒体を発行することに対する発行手数料、及び通信することに対する通信手数料などの値が予め記憶された手数料データベースである。符号２３は、有価価値特定情報を出力する有価価値特定情報出力部である。符号２４は、有価価値特定情報出力部２３から出力される有価価値特定情報に基づいて、有価価値の情報が記憶された記憶媒体を発行する記憶媒体発行部である。符号２５は、ネットワーク４を介して、他の装置との間で情報通信を行う通信部である。符号２６は、計数処理中に異常が検出された場合に、警報を発する警報部である。符号２７は、投入された硬貨を両替する両替部である。
【００３８】
符号３１は、管理サーバ３の処理動作を統括して制御する制御部である。符号３２は、キーボード等で構成する入力部である。符号３３は、ディスプレイ装置で構成する表示部である。符号３４は、硬貨処理装置１、１Ａ、１Ｂにおいて硬貨の処理を実行した際の集計情報を記憶する集計情報記憶部である。符号３５は、各硬貨処理装置硬貨処理装置１、１Ａ、１Ｂから集計情報を収集して、集計情報記憶部３４へ記憶する処理を行う集計処理部である。符号３６は、硬貨処理装置１、１Ａ、１Ｂにおいて発生した異常等の履歴情報を記憶する履歴情報記憶部である。符号３７は、符号３５は、各硬貨処理装置硬貨処理装置１、１Ａ、１Ｂから履歴情報を収集して、履歴情報記憶部３６へ記憶する処理を行う履歴情報管理部である。符号３８は、有価価値（度数）の値が記憶媒体の識別符号（ＩＤ）に関係付けられて記憶された有価価値情報記憶部である。符号３９は、ネットワーク４を介して、他の装置との間で情報通信を行う通信部である。
【００３９】
ここで、有価価値特定情報について説明する。有価価値特定情報とは、有価価値を特定可能な情報という意味であり、例えば、有価価値情報自体も有価価値を特定できるので有価価値特定情報であり、他の有価価値特定情報としては、記憶媒体の識別符号（ＩＤ）も記憶媒体を取扱う装置やネットワークに接続された他の装置の記憶部に記憶された有価価値情報を読み出して有価価値を特定可能な情報であるので有価価値特定情報である。また有価価値とは、パチンコホール内においては遊技媒体を貸し出す際に消費される度数などの金銭価値を示す情報であり、例えば１度数で１００円の金銭価値を有するものである。他には、パチンコホール以外にも電話料金用のテレホンカードの度数、電車乗車料の度数などを例示できる。この有価価値特定情報としての有価価値（度数）及やＩＤは、磁気カードやＩＣカード等の情報書込可能なカードに、有価価値（度数）及び／またはＩＤが、書き込まれており、このカードを玉貸し機のカード読み取り機に挿入することにより、カード内に書き込まれている有価価値（度数）が減算されて、玉貸し代金の決済に用いたり、例えばスーパーマーケットなどでの購入代金の一部乃至全部の決済に用いられる。カード内に書き込まれる情報は、有価価値（度数）及びＩＤの少なくとも一方が書き込まれることが通例である。以下の説明においては、カードには、ＩＤのみが書き込まれるものとして説明する。
【００４０】
次に、図３を参照して、図１に示す判定データベース１８のテーブル構造を説明する。図３は、図１に示す判定データベース１８のテーブル構造を示す図である。判定データベース１８は、判定条件（しきい値）、実施フラグ、停止処理フラグ、報知処理フラグ、画像取得フラグ、計数対象フラグが関係付けられて記憶されるメモリフィールドを有している。判定条件は、計数処理時において、異常な状態が発生したか否かを判定するための判定条件（しきい値）が複数記憶される。ここでは、判定条件として、各硬貨の投入比率が一部の金種に偏っているか否かを判定するための投入比率値と、金種毎の硬貨計数値が所定の制限値を超えているか否かを判定するための投入数とがしきい値として記憶されている例を示している。実施フラグは、記憶されている判定条件のうちどの判定条件を使用して異常判定を実施するか否かのフラグであり、実施する判定条件に対して、「１」が記憶され、実施しない判定条件に対して、「０」が記憶される。
【００４１】
返金処理フラグは、実施する判定条件を満たした場合に、投入された硬貨を返金するか否かを設定するフラグあり、返金処理を行う場合に「１」が記憶され、返金処理を行わない場合に「０」が記憶される。停止処理フラグは、実施する判定条件を満たした場合に、投入された硬貨の計数を停止するか否かを設定するフラグあり、停止処理を行う場合に「１」が記憶され、停止処理を行わない場合に「０」が記憶される。報知処理フラグは、実施する判定条件を満たした場合に、報知するか否かを設定するフラグあり、返金処理を行う場合に「１」が記憶され、報知処理を行わない場合に「０」が記憶される。画像取得フラグは、実施する判定条件を満たした場合に、入金者の画像を撮像するか否かを設定するフラグあり、画像取得を行う場合に「１」が記憶され、画像取得を行わない場合に「０」が記憶される。計数対象フラグは、硬貨の金種（１円、５円、１０円、５０円、１００円、５００円）毎に計数を行うか否かを設定するフラグであり、計数を行う場合に「１」が記憶され、計数を行わずに返金する場合に「０」が記憶される。これらの情報は、管理サーバ３の入力部３２から任意に入力された情報に基づき、ネットワーク４を介して、判定データベース１８に書き込まれる。管理者は、所望の異常処理動作に応じて、各フラグを設定することにより、異常発生時の処理を選択的に設定することができる。また、偽装５００円硬貨が出回り、偽造５００円硬貨等が投入される危険性が高いような場合に、５００円硬貨の計数対象フラグを「０」にすることにより、５００円硬貨を計数の対象外とすることができるため、所望の硬貨のみを計数対象とすることが可能である。
【００４２】
次に、図４を参照して、図１に示す手数料データベース２２のテーブル構造を説明する。図４は、図１に示す手数料データベース２２のテーブル構造を示す図である。手数料データベース２２は、入金された硬貨の金種毎に、客からの手数料と、ホールからの手数料の料率が記憶される。客からの手数料と、ホールからの手数料それぞれに、各手数料の内訳として、計数手数料、両替手数料、カード（記憶媒体）発行手数料及び特典手数料の項目、その項目毎の料率、及びその項目毎の手数料の支払先が記憶される。客からの手数料とは入金された硬貨にかかる手数料であり、入金硬貨からその手数料分を差し引いた残額がカード（記憶媒体）の有価価値（度数）として発行される。またホールからの手数料とは、客の入金した硬貨とは別にかかるホールが客乃至本システムの運営主体（例えばＡ社）に支払う手数料であり、入金された硬貨から差し引かれない、即ち客の負担とならない手数料である。客からの手数料（ｘ）およびホールからの手数料（ｚ）は、硬貨の金種毎に、投入硬貨を計数することに対する手数料の値が定義されて記憶されており、この実施例では、客からの手数料（ｘ）の場合高額の金種ほど手数料の値が小さくなるように設定され、ホールからの手数料（ｚ）の場合１円硬貨と５円硬貨の場合のみ、それぞれ４％、２％の手数料、他の硬貨の場合０％の手数料に設定され、それぞれ投入された金額（金種の額に投入数を乗算した値）の割合で金種毎の手数料を定義している例を示している。そしてこの実施例では、客からの手数料（ｘ）およびホールからの手数料（ｚ）についてそれぞれ、金種毎の手数料の内訳として、計数手数料、両替手数料、カード発行手数料、及び特典手数料を設定している。
【００４３】
ホールからの手数料（ｚ）についての内訳として、両替手数料（Ａ）とカード発行手数料（Ｂ）が、入金された金額の１０％であり支払先がＡ社と設定されている。即ち、両替手数料（Ａ）及びカード発行手数料（Ｂ）について、手数料の支払元がホール、支払先がＡ社となり、各硬貨が１００枚ずつあった場合、１円と５円以外手数料が発生しないので、１円×１００枚×０．０４（ｚ＝４％）×０．１（料率＝１０％）+５円×１００枚×０．０２（ｚ＝２％）×０．１（料率＝１０％）＝１．４円となる。特典手数料について、手数料の支払元がホール、支払先が客となり、各硬貨が１００枚ずつあった場合、１円と５円以外手数料が発生しないので、１円×１００枚×０．０４（ｚ＝４％）×０．０５（料率＝５％）+５円×１００枚×０．０２（ｚ＝２％）×０．０５（料率＝５％）＝０．６円となる。そして、計数手数料は、ホールからの手数料（ｚ）−両替手数料（Ａ）−カード発行手数料（Ｂ）−特典手数料（Ｃ）に設定され、支払元がホールであり、支払先がＡ社となる。
【００４４】
客からの手数料（ｘ）についての内訳として、両替手数料（Ｐ）、カード発行手数料（Ｑ）、特典手数料（Ｒ）について、それぞれ入金された金額の１０％と設定され、支払先がそれぞれＡ社、ホール、Ａ社、ホールと設定されている。即ち、両替手数料（Ｐ）、カード発行手数料（Ｑ）、および特典手数料（Ｒ）について、各硬貨が１００枚ずつあった場合、（１円×０．０６＋５円×０．０５＋１０円×０．０４+５０円×０．０３＋１００円×０．０２＋５００円×０．０１）×１００枚×０．１（料率＝１０％）＝９２．１円となる。そして計数手数料は客からの手数料ｘ−両替手数料（Ｐ）−カード発行手数料（Ｑ）−特典手数料（Ｒ）にて算出される。そして、客からの手数料、ホールからの手数料の総合計や、支払先毎の総合計や、手数料の内訳である両替手数料、カード発行手数料、特典手数料毎の総合計が、所定期間毎として、例えば１営業日、１週間、１ヶ月、４半期、半期、１年毎に算出され、要求に応じてモニタ出力、プリントアウト、外部機器への通信ネットワークを介して出力される。
【００４５】
またこれらの情報は、管理サーバ３の入力部３２から入力された情報に基づき、ネットワーク４を介して、手数料データベース２２に書き込まれる。管理者は、この実施例の金種毎の手数料、両替手数料、カード発行手数料、特典手数料、さらには計数手数料について、所望の手数料値を設定することができるため、所望の硬貨（例えば１円硬貨）のみに手数料を設定し、他の硬貨は手数料を設定しないようにすることができる。なお、１円のみの手数料の設定、あるいは５００円硬貨を除いた手数料の設定が可能に構成してもよい。また管理者は、金種毎の手数料の内訳として、この実施例で例示した、計数手数料（ｚ−Ａ−Ｂ−Ｃ−Ｄ、ｘ−Ｐ−Ｑ−Ｒ）、両替手数料（Ａ、Ｐ）、カード発行手数料（Ｂ、Ｑ）、特典手数料（Ｃ、Ｒ）などの項目名称の削除、及び、新たな項目名として例えば通信費やサーバ管理費等の修正や追加が可能であり、それぞれの手数料についての料率の設定、入金先などを設定できる。これら設定は、本発明の硬貨処理装置１を設置するパチンコホールなどのクライアント企業と、サーバ３を設置して本システムを運営する運営主体会社の間で、硬貨処理装置１が貸与なのか、販売なのか等の契約条件に応じて適宜に選択できる。
【００４６】
次に、図５を参照して、図１に示す集計情報記憶部３４のテーブル構造を説明する。図５は、図１に示す集計情報記憶部３４のテーブル構造を示す図である。集計情報記憶部３４は、１回の硬貨投入機会毎に、日時、装置識別番号、計数値、投入金額、客からの手数料、ホールからの手数料、計数手数料、両替手数料、カード発行手数料、及び特典手数料が関係付けられて記憶されるメモリフィールドを有している。日時は、硬貨の投入がなされた日付と時刻である。装置識別番号は、硬貨の投入がなされた硬貨処理装置を特定する識別番号である。計数値は、金種毎の計数値（枚数）である。投入金額は、投入された硬貨の合計金額である。客からの手数料、ホールからの手数料、計数手数料、両替手数料、カード発行手数料、及び特典手数料は、手数料設定部２１が図４に示す手数料データベース２２を参照して、計数値に基づいて算出した値である。これらの情報は、各硬貨処理装置がネットワーク４を介して集計情報記憶部３４に書き込まれる。管理者は、集計情報記憶部３４に記憶されている情報に基づいて、所定期間中の両替手数料やカード発行手数料の集計等を行うことが可能となる。
【００４７】
次に、図６を参照して、図１に示す履歴情報記憶部３６のテーブル構造を説明する。図６は、図１に示す履歴情報記憶部３６のテーブル構造を示す図である。履歴情報記憶部３６は、１回の異常発生毎に、日時、装置識別番号、発生事象、関連情報及び画像データが関係付けられて記憶されるフィールドを有している。日時は、異常が発生した日付と時刻である。発生事象は、図３に示す判定条件を満たす事象が発生したことを示す情報である。関連情報は、発生事象の詳細情報であり、例えば、投入された各硬貨の投入比率値、各硬貨毎の投入数や、実施した異常処理の特定する情報等である。画像データは、図３に示す画像フラグが「１」である場合に、ビデオカメラ１９によって撮像した入金者の画像のデータである。これらの情報は、各硬貨処理装置がネットワーク４を介して集計情報記憶部３４に書き込まれる。管理者は、履歴情報記憶部３６に記憶されている情報に基づいて、所定期間中に発生した異常状態の把握や発生する異常状態の分析等を行うことが可能となる。
【００４８】
ここで、図７を参照して、図１に示す硬貨処理装置１の外観を説明する。図７は、図１に示す硬貨処理装置１の前面の外観を示す図である。この図において、符号１３は、入金者に対する操作のガイダンスメッセージや計数値、投入金額等を表示する表示部である。符号１９は、入金者の画像を撮像するためのビデオカメラである。符号２６は、異常発生時に光や音を発する警報器である。符号１２ａ〜１２ｃは、図１に示す操作部を構成する操作ボタン群である。符号２４ａは、図１に示す記憶媒体発行部２４がカードの発行を行うためのカード挿入／排出口である。符号２７ａは、両替時に紙幣を払い出す紙幣払出口である。符号１４ａは、複数の硬貨を同時に投入可能な投入口である。符号１６ａは、投入された硬貨を返金する場合に、硬貨を排出する排出口である。
【００４９】
次に、図２、７を参照して、図１に示す硬貨処理装置１の動作を説明する。図２は、図１に示す硬貨処理装置１における硬貨投入時の動作を示すフローチャートである。
まず、硬貨処理装置の電源が投入されると、硬貨検出部１４は、投入口１４ａを監視し、投入口１４ａから硬貨が投入されたか否かを検出する（ステップＳ１、Ｓ２）。そして、入金者が硬貨を投入口１４ａから投入することにより、硬貨が検出されると、硬貨検出部１４は、硬貨検出を計数部１５へ通知する。これを受けて、計数部１５は、金種毎に硬貨の枚数をカウントする（ステップＳ３）。このとき、計数部１５は、判定データベース１８に記憶されている計数対象フラグを参照して、計数対象フラグが「１」である硬貨のみを計数し、計数対象フラグが「０」である硬貨が検出された場合は、排出口１６から排出する。このとき、排出部１６は、排出した硬貨の金種と枚数を特定し、金種毎の排出枚数の情報を内部に保持する。
【００５０】
また、計数部１５は、判定データベース１８に記憶されている実施フラグが「１」である判定条件を満たしたか（例えば計数した所定金種の枚数が所定値以上であるなどの異常が発生したか）否かを判定しながら（ステップＳ４）、硬貨の計数処理を実行する。この判定の結果、異常と見なされる状態（判定条件を満たす状態）が発生した場合、計数部１５は、異常が発生したことを制御部１１に通知する。これを受けて、制御部１１は、判定データベース１８に記憶されている異常処理フラグ（返金処理、停止処理、報知処理及び画像取得のフラグ）を参照して、フラグが「１」である異常処理を実行する（ステップＳ５）。返金処理フラグが「１」である場合、制御部１１は、計数部１５に対して、返金処理の実行を指示する。返金処理の指示を受けると、計数部１５は、投入された硬貨を排出口１６へ排出する。また、停止処理フラグが「１」である場合、制御部１１は、計数部１５に対して、計数処理の実行停止を指示する。計数処理の実行停止指示を受けると、計数部１５は、計数処理を停止する。また、報知処理フラグが「１」である場合、制御部１１は、警報器２６に対して、警報を発する指示を出す。警報指示を受けると、警報器２６は、光や音による警報を発する。また、画像取得フラグが「１」である場合、制御部１１は、ビデオカメラ１９を起動し、ビデオカメラ１９から出力される画像データを入力する。
【００５１】
異常処理を実行した後、制御部１１は、異常が発生したことを示す履歴情報を通信部２５を介して、管理サーバ３へ出力する（ステップＳ６）。この履歴情報には、異常発生日時、自己の装置識別番号（ここでは、Ｋ００１となる）、発生事象、関連情報（金種毎の計数値等）、ビデオカメラ１９により撮像した画像データが含まれる。管理サーバ３の制御部３１は、この履歴情報を通信部３９を介して受信すると、受信した履歴情報を履歴情報管理部３７へ受け渡す。これを受けて、履歴情報管理部３７は、この履歴情報を履歴情報記憶部３６へ記憶する。
【００５２】
一方、異常が検出されない場合、投入された硬貨全ての計数が終了するまで計数処理を継続し、全ての投入硬貨の計数が終了した時点で（ステップＳ７）、計数部１５は、制御部１１に対して金種毎の計数値を通知する。これを受けて、制御部１１は、金種毎の計数値を計数結果記憶部２０に一時記憶する（ステップＳ８）。
【００５３】
次に、制御部１１は、手数料設定部２１に対して、手数料の算出を指示する。これを受けて、手数料設定部２１は、計数結果記憶部２０に記憶されている金種毎の計数値と、手数料データベース２２に記憶されている手数料情報とに基づいて、投入金額、計数手数料、カード発行手数料及び両替手数料を算出する。そして、手数料設定部２１は、算出した投入金額、計数手数料、カード発行手数料及び両替手数料を制御部１１で通知する。
【００５４】
制御部１１は、手数料設定部２１から通知された投入金額、計数手数料、カード発行手数料、特典手数料、及び両替手数料を表示部１３に表示する（ステップＳ９）。また、制御部１１は、「カード発行」ボタン１２ａ、「両替」ボタン１２ｂのいずれかを押下する指示するメッセージを表示する。ここで、入金者は、「カード発行」ボタン１２ａ、「両替」ボタン１２ｂ及び「取消」ボタン１２ｃのいずれかを押下する。これを受けて、制御部１１は、操作部１２の操作内容を読み取る（ステップＳ１０）。
【００５５】
操作部１２の操作内容を読み取った結果、「取消」ボタン１２ｃが押下されていれば、制御部１１は、計数部１５に対して、返金処理を行うように指示する。これを受けて、計数部１５は、投入された硬貨を排出口１６へ排出する。
【００５６】
また、「カード発行」ボタン１２ａが押下されていれば、制御部１１は、投入金額から客からの手数料（内訳：計数手数料、カード発行手数料、特典手数料）を差し引いた金額値を有価価値特定情報出力部２３へ通知する。有価価値特定情報出力部２３は、通信部２５を介して、通知された金額値を含む有価価値を特定可能な情報として、当該有価価値と、ＩＤ発行要求を管理サーバ３へ送信する。このＩＤ発行要求を受信した制御部３１は、新たなＩＤを発番し、このＩＤと受信した当該有価価値とを関係付けて、有価価値情報記憶部３８へ記憶する。そして、制御部３１は、発番したＩＤを、ＩＤ発行要求に対する応答として硬貨処理装置１へ返信する。有価価値特定情報出力部２３は、通信部２５を介して、このＩＤを受信し、受信したＩＤを記憶媒体発行部２４へ出力する。これを受けて、記憶媒体発行部２４は、有価価値特定情報出力部２３から出力された有価価値特定ＩＤが書き込まれた記憶媒体（カード）を発行する（ステップＳ１１）。これにより、カード挿入／排出口２４ａからＩＤが書き込まれたカードが排出されることになる。なお、発行する記憶媒体にはＩＤの代わりに有価価値を記憶してもよい。またＩＤや有価価値を書き込む必要はない。この場合発行する記憶媒体に工場出荷時から記憶されていたＩＤを読み出し、管理サーバ３に有価価値と読み出したＩＤを送信し、有価価値情報記憶部３８にＩＤと有価価値とを関係付けて記憶させ、後程有価価値を消費する際、記憶媒体からＩＤを読み出して有価価値情報記憶部３８から有価価値をＩＤに基づいて読み出して特定できるようにしてもよい。また発行する記憶媒体には、ＩＤと有価価値とを両方記憶させるようにしてもよく、この場合記憶媒体に記憶された有価価値とＩＤに基づいて管理サーバ３の有価価値情報記憶部３８に記憶された有価価値とを相互に一致するか検証できるので、記憶媒体乃至管理サーバ３における有価価値情報の偽造が困難となる。このようにＩＤまたは/および有価価値情報自体が有価価値を特定可能な有価価値特定情報として例示できる。
【００５７】
次に、「両替」ボタン１２ｂが押下されていれば、制御部１１は、投入金額から計数手数料と両替手数料を差し引いた金額値を両替部２７へ通知する。これを受けて、両替部２７は、制御部１１から通知された金額値に基づいて、紙幣を紙幣払出口２７ａから払い出す。このとき、紙幣で払い出すことができない端数がある場合、両替部２７は端数分の硬貨を排出部１６ａへ払い出す（ステップＳ１２）。これにより、両替が行われることになる。
【００５８】
次に、制御部１１は、通信部２５を介して、集計情報を管理サーバ３へ送信する（ステップＳ１３）。この集計情報には、日時、自己の装置識別番号（Ｋ００１）、金種毎の計数値、投入金額、客からの手数料、ホールからの手数料、計数手数料、両替手数料、カード発行手数料、手数料合計の情報が含まれる。管理サーバ３の集計処理部３５は、この集計情報を受信し、集計情報記憶部３４へ記憶する。続いて、制御部１１は、計数部１５に対して、処理が終了したことを通知する。これを受けて、計数部１５は、計数処理が終了した硬貨を硬貨収納部１７へ搬送するとともに、金種毎の計数値を硬貨収納部１７へ通知する。硬貨収納部１７は、計数部１５から通知された硬貨の計数値に基づいて金種毎の硬貨収納数の値を更新するとともに、搬送された硬貨を金種毎に収納庫へ収納する。
【００５９】
なお、入金者が有価価値特定ＩＤが書き込まれたカードを既に所有している場合は、カード挿入／排出口２４ａから挿入されたカードに書き込まれている有価価値特定ＩＤを読み取り、有価価値特定情報出力部２３は、読み取った有価価値特定ＩＤと金額値を含む有価価値情報更新要求を管理サーバ３へ送信すればよい。この有価価値情報更新要求を受信した制御部３１は、有価価値情報記憶部３８上に記憶されている有価価値情報のうち、送信された有価価値特定ＩＤと同一の有価価値特定ＩＤに関係付けられている金額値に新たな金額値を加算する。
【００６０】
また、図１に示す判定データベース１８、手数料データベース２２は、管理サーバ３内に備えていてもよい。この場合は、判定データベース１８及び手数料データベース２２に記憶されている情報をネットワーク４を介して参照すればよい。また、パチンコホール内１台の硬貨処理装置のみが設置されるような場合においては、管理サーバ３の機能を硬貨処理装置内に備えるようにしてもよい。また、図１に示す記憶媒体発行部２４は、硬貨処理装置内に必ずしも備えている必要はなく、カード発行は、記憶媒体発行機２が行うようにしてもよい。
【００６１】
このように、複数の硬貨を同時に投入することができる硬貨処理装置によれば、家庭等に保管されている硬貨を、パチンコホール等で使用可能な有価価値情報に変換することができるため、保管されている硬貨を効率よく回収することができる。また、パチンコホールに設置するようにしたため、保管されている硬貨を遊技目的の資金に用いることができ、硬貨の回収と集客効果を同時に見込むことができる。
【００６２】
なお、図１における処理部の機能を実現するためのプログラムをコンピュータ読み取り可能な記録媒体に記録して、この記録媒体に記録されたプログラムをコンピュータシステムに読み込ませ、実行することにより硬貨の計数処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００６４】
【図１】本発明の一実施形態の構成を示すブロック図である。
【図２】図１に示す硬貨処理装置１の動作を示すフローチャートである。
【図３】図１に示す判定データベース１８のテーブル構造を示す説明図である。
【図４】図１に示す手数料データベース２２のテーブル構造を示す説明図である。
【図５】図１に示す集計情報記憶部３４のテーブル構造を示す説明図である。
【図６】図１に示す履歴情報記憶部３６のテーブル構造を示す説明図である。
【図７】図１に示す硬貨処理装置１の外観を示す外観図である。
【符号の説明】
【００６５】
１、１Ａ、１Ｂ・・・硬貨処理装置、１１・・・制御部、１２・・・操作部、１３・・・表示部、１４・・・硬貨検出部、１５・・・計数部、１６・・・排出部、１７・・・硬貨収納部、１８・・・判定データベース、１９・・・ビデオカメラ、２０・・・計数結果記憶部、２１・・・手数料設定部、２２・・・手数料データベース、２３・・・有価価値特定情報出力部、２４・・・記憶媒体発行部、２５・・・通信部、２６・・・警報部、２・・・記憶媒体発行機、３・・・管理サーバ、３１・・・制御部、３２・・・入力部、３３・・・表示部、３４・・・集計情報記憶部、３５・・・集計処理部、３６・・・履歴情報記憶部、３７・・・履歴情報管理部、３８・・・有価価値情報記憶部、３９・・・通信部
【図１】
2007241831.tif 000003
【図２】
2007241831.tif 000004
【図３】
2007241831.tif 000005
【図４】
2007241831.tif 000006
【図５】
2007241831.tif 000007
【図６】
2007241831.tif 000008
【図７】
2007241831.tif 000009